(57)【特許請求の範囲】
【請求項１】
間仕切のユニットにおける上もしくは中間位置の横長部材に係止したフックに垂下された吊りボルトと、該吊りボルトに被嵌したスペーサ筒とを介して、水平状に延びる上向き開口のコード受け樋を前記間仕切を上下に分断する状態で上下段に配置し、
前記コード受け樋には、前記間仕切の間口方向に長手の前壁面または後壁面のいずれか一方または両方に、カバー体を開閉自在又は着脱自在にするための装着部を設け、このカバー体の上方に、コード類を引き出しできる空間が空けられていることを特徴とする間仕切の配線構造。
【請求項２】
前記コード受け樋には、前記カバー体の基部を起伏回動可能且つコード受け樋の前記前壁面または後壁面のいずれか一方または両方の外面に対して交叉する方向から着脱自在な装着部を設けたことを特徴とする請求項１に記載の間仕切の配線構造。
【請求項３】
前記コード受け樋における前記前壁面または後壁面のいずれか一方または両方の外面には、前記装着部を上下複数段に設けたことを特徴とする請求項１または請求項２に記載の間仕切の配線構造。
【請求項４】
前記カバー体は、間仕切の間口方向に沿って長手の本体部と、該本体部の少なくとも長手方向一側端に着脱自在に取付けられ、前記コード受け樋内のコード類を引き出すとき取り外すための端カバーとにより構成されていることを特徴とする請求項１乃至請求項３に記載の間仕切の配線構造。
【発明の詳細な説明】
本発明は、間仕切の配線構造に関するものである。
【０００１】
【従来の技術】
間仕切にコード類を配線できるようにすることは従来から種々考えられており、上端部に配線用のダクトを設けてこれを天カバーで塞いだり、或いは、巾木で塞がれた下端部に配線用ダクトを設けたりすることは広く行われている。
【０００２】
また、実公平８−１００９７９号公報には、表裏パネルの間に空間が開いた中空状の間仕切において、その中途高さ位置の内部に、表裏パネルで挟まれた配線用ダクトを水平状に設けることが記載されている。
【０００３】
また、実開平７−２１８２５号公報には、間仕切の中途高さ位置に、水平状に延びる配線用収納部を形成し、この収納部を着脱自在なカバー体で塞ぐことが記載されている。
【０００４】
更に実用新案登録第２７４７２５９号公報には、表裏パネルの間に空間を開けた中空状の間仕切において、その内部に配線スペース（ケーブルダクトスペース）を形成し、このケーブルダクトスペースをパネルで覆い、更に、パネルの下方に、ケーブル類を引き出しできる隙間を設けることが記載されている。
【０００５】
【発明が解決しようとする課題】
近年の間仕切は単に室を仕切る機能のみでなく、その前面に机天板を取付けるなど機能が向上しており、このため、間仕切の表面箇所からコード類を引き出しできることが要請されている。
【０００６】
しかし、実公平８−１００９７号公報のように、パネルで隠れた内部に配線用ダクトを設けたものは、単に間仕切の内部を配線通路として利用できるに過ぎず、上記要請には応え難い問題があった。
【０００７】
これに対して実開平７−２１８２５号公報や実用新案登録第２７４７２５９号公報の場合は、コード類を間仕切の表面方向に引き出すことができるため、使い勝手を向上できる。しかし、実開平７−２１８２５号公報の構成では、収納部の全体がカバー体で塞がれるため、コード類の引き出し穴をカバー体に設けなくてはならず、このため、コード類の引き出し位置が規定されて融通が利かないという問題があった。
【０００８】
他方、実用新案登録第２７４７２５９号公報の場合は、配線に際して一々パネルを取り外さなくてはならないため、配線作業が面倒であるという問題がある。
【０００９】
本発明は、これらの問題を解消した間仕切を提供することを目的とする。
【００１０】
【課題を解決するめたの手段】
前記目的を達成するため請求項１に記載の発明の間仕切の配線構造は、間仕切のユニットにおける上もしくは中間位置の横長部材に係止したフックに垂下された吊りボルトと、該吊りボルトに被嵌したスペーサ筒とを介して、水平状に延びる上向き開口のコード受け樋を前記間仕切を上下に分断する状態で上下段に配置し、前記コード受け樋には、前記間仕切の間口方向に長手の前壁面または後壁面のいずれか一方または両方に、カバー体を開閉自在又は着脱自在にするための装着部を設け、このカバー体の上方に、コード類を引き出しできる空間が空けられた構成にしたものである。
【００１１】
また、請求項２に記載の発明は、請求項１に記載の間仕切の配線構造において、前記コード受け樋には、前記カバー体の基部を起伏回動可能且つコード受け樋の前記前壁面または後壁面のいずれか一方または両方の外面に対して交叉する方向から着脱自在な装着部を設けたものである。
【００１２】
さらに、請求項３に記載の発明は、請求項１または請求項２に記載の間仕切の配線構造において、前記コード受け樋における前記前壁面または後壁面のいずれか一方または両方の外面には、前記装着部を上下複数段に設けたものである。
【００１３】
そして、請求項４に記載の発明は、請求項１乃至請求項３に記載の間仕切の配線構造において、前記カバー体は、間仕切の間口方向に沿って長手の本体部と、該本体部の少なくとも長手方向一側端に着脱自在に取付けられ、前記コード受け樋内のコード類を引き出すとき取り外すための端カバーとにより構成されているものである。
【００１４】
【作用・効果】
請求項１の発明によれば、カバー体を開くか又は取り外すことにより、コード受け樋の前方を大きく開くことができるから、例えばコード受け樋に設けたコンセントに機器のプラグを差し込むといった配線作業を簡単に行うことができる。
【００１５】
また、コード類はカバー体の上方の空間から手前に引き出せば良いが、この場合、カバー体のほぼ全長にわたって横長の空間があいているから、任意の箇所からコード類を引き出すことができ、このため、機器の設置場所に応じてコード類の引き出し位置を設定できて、使い勝手が良くなる。
【００１６】
請求項２に記載の発明によれば、予めコード受け樋を間仕切に装着した状態で、後からカバー体を間仕切の前面または後面方向から着脱できることになり、コード類の配線作業が至極容易にできるという効果を奏する。
【００１７】
そして、請求項３に記載の発明によれば、コード類の太さに応じて、カバー体の装着部を高い位置と低い位置とに取付け代えするだけで、当該カバー体上方の空間の上下寸法を簡単に変更でき、コード類の配線作業が容易になるという効果を奏する。
【００１８】
さらに、請求項４に記載の発明によれば、カバー体の本体部に着脱自在な端カバーを取り外すことで、その取り外した箇所がコード類を引き出す空間とすることができ、コード類の引き出し態様を多様化できるという効果を奏する。
【００１９】
【発明の実施形態】
次に、参考例及び本発明の実施形態を図面に基づいて説明する。図１〜図７では第１実施形態及び参考例を示しており、このうち図１は間仕切の全体図である。間仕切は複数のユニット１を平面視直線状やＴ字状に接続して成っており、３つのユニット１で囲われた空間に机天板２を配置し、ブラケット３で支持している。
【００２０】
図２は各ユニット１を構成するフレームの概略斜視図であり、フレームは、下部に位置したメインフレーム４と、その上面に接合した積上げ式フレーム５とで構成されている。両フレーム４，５とも左右の縦長部材６を備えており、メインフレーム４は縦長部材６の上下を横長部材７で連結しているが、積上げ式フレーム５では、縦長部材６の上部だけが横長部材７で連結されている。
【００２１】
積上げ式フレーム５における左右縦長部材６の下端にガイド片８を下向き突設し、これを、メインフレーム４における縦長部材６の縦溝９に嵌め入れ、その状態で、メインフレーム４の横長部材７と積上げ式フレーム５の縦長部材６とをブラケット１０及びねじ１１で締結している。
【００２２】
左右に隣合ったフレーム４、５の縦長部材６は図示しない金具で一体に連結されている。
【００２３】
各縦長部材６には、棚板（図示せず）を支持するブラケット（図示せず）や机天板２を支持するブラケット３を取付けるための溝穴１２が上下方向に沿って多数形成されている。また、パネル等を取付けるための係合穴１３も適宜個数形成されている。
【００２４】
図３は図１の III-III視断面図であり、この図に示すように、間仕切の一つのユニット１に、コード受け樋１５が複数段に配置されている。図３のコード受け樋１５は合成樹脂又は軽金属の押し出しによって製造されており、上向き開口の略コ字状に形成されている。また、コード受け樋１５の底部には、下向きに開口した蟻溝１６と、前後方向に僅かに張り出したＴ型係合部１７とが形成されている。
【００２５】
コード受け樋１５の長手方向の両端部は、前記蟻溝１６の箇所にＬ字状の金具１８（図３参照）及びねじ１９でフレーム５の縦長部材６に固定されている。
【００２６】
実施例では、コード受け樋１５の長手の前後壁面１５ｄのそれぞれ上端の開口縁にはカバー体２０が起伏回動自在に取付けられている。
【００２７】
即ち、コード受け樋１５の開口縁には、カバー体２０の基部を起伏回動可能、且つ着脱自在な装着部としての断面円弧状の摺動面を備えた雄型係合部２１を形成して、これに、カバー体２０の下端縁に形成された同じく断面円弧状の摺動面を備えた雌型係合部２２を嵌合する。この場合、コード受け樋１５の長手方向の全長にわたって雄型係合部２１を一体的に形成する一方、カバー体２０の全長にたって雌型係合部２２を一体的に形成し、雄型係合部２１の長手方向の一側端から雌型係合部２２を嵌合する。これにより、両係合部２１，２２の嵌め合い状態にてカバー体２０がほぼ垂直姿勢から略水平姿勢まで外れずに上下回動に構成される。従って、カバー体２０は略水平状の姿勢まで手前（間仕切の外側）に倒すことができる。この実施形態のように回動自在に取付けると、開閉をワンタッチで行える利点がある。なお、蝶番を使用するなど、他の取付け形態でカバー体２０を開閉自在としても良い。
【００２８】
カバー体２０の上方にはコード類Ｃを引き出しできる横長の空間２３が連続状に空いている。他方、コード受け樋１５には、コンセント２４等のコネクタ類やコンピュータ用などのためのＨＵＢ（集線器）やターミナル等が取付け可能な装着具２５, ２６を取付けている。図３において上段に配置されたコード受け樋１５に取付けた第１装着具２５は図4(A)でも示している。この第１装着具２５は、コード受け樋１５の内面に重なる形状に形成されており、上端縁をコード受け樋１５の雄型係合部２１に当てることによって抜け不能としている。第１装着具２５はコード受け樋１５の任意の位置にずらし移動させることができる。
【００２９】
図３において下段に配置されたコード受け樋１５に取付けた第２装着具２６は、前後一対の爪２６ａをコード受け樋１５のＴ型係合部１７に係合させることにより、コード受け樋１５に取付けている。この第２装着具２６は、コード受け樋１５の長手方向の任意の位置に取付けたり取り外したりすることができる。
【００３０】
図4(B)に示すように、コード受け樋１５の左右長手方向の両端には、上端縁を下向きに凹み形成したエンドキャップ２７を嵌め込んでいる。
【００３１】
図５では、コード受け樋群の上方と下方との構造を示している。即ち、最上段のコード受け樋１５の上方には、間仕切のユニットの間口方向に沿って水平状に延びる支持枠２９を配置し、この支持枠２９で、ガラス板等の仕切り板３０の下端を挟み固定している。また、最下段に位置したコード受け樋１５の蟻溝１６に嵌め込んだ前後一対の吊り具３１にて、仕切り板３０の上端部を挟み、ネジ等にて脱落不能に固定している。
【００３２】
なお、コード受け樋１５の上下に単なるパネルを取付けても良い。
【００３３】
図５はコード受け樋１５を上下段に取り付け（吊支）する構造の参考例を示し、前記支持枠２９はブラケット等によって積上げ式フレーム５の縦長部材６に差し渡し固定されている。また、各コード受け樋１５には、１ヵ所又は複数箇所に下方からロッド３２が貫通しており、このロッド３２に、上下に隣合ったコード受け樋１５の間隔を規制するためのスペーサ筒３３を被嵌させ、該スペーサ筒３３の上端縁にて上側のコード受け樋１５の底板１５ｅに当接させて、当該上側のコード受け樋１５が落下しないように支持している。ロッド３２の下端には鍔３２ａが形成されており、また、ロッド３２の上端は、前記支持枠２９に設けたナット３４にねじ込まれている。
【００３４】
このように、ロッド３２及びスペーサ筒３３を介してコード受け樋１５を上下に二段以上の多段につり下げることができ、且つ上下に隣接するコード受け樋１５，１５の上下間隔も一定に保持するように構成することができる。また、コード受け樋１５の長手方向に沿って複数箇所にて適宜間隔で吊懸下げし、各吊り下げ箇所で間隔規制用のスペーサ筒３３を設けると、コード受け樋１５の底板１５ｅが長手方向に沿って略直線状に保持できるから、コード受け樋１５の長手の中途部が上下方向に曲がり変形するのを防止することができるため、カバー体２０の回動がスムースになると共に、体裁も良い利点がある。
【００３５】
上述の説明から理解できるように、カバー体２０を開くと間仕切の前面（裏面）に大きな隙間が空くから、例えばコンセント２４にプラグを差し込んだり、通信線を引き出したりする配線作業を簡単に行うことができる。また、カバー体２０のほぼ全長にわたって空間２３が空いているから、机上において機器の場所に応じた近い箇所からコード類Ｃを引き出すことができる。
【００３６】
実施形態のような装着具２５, ２６を使用すると、コンセント２４等のコネクタ類とコード類Ｃとをコード受け樋１５内に整理して設けることができる。
【００３７】
図では示していないが、各コード受け樋１５のＴ型係合部１７に、コード類Ｃを上下に挿通できる穴を適宜個数空けておくと好適である。
【００３８】
図６は図１のVI−VI視断面図であり、この図では他の配線構造を示している。すなわち、この配線構造は、図７の分離斜視図にも示すように、左右の縦長部材６に差し渡し固定した横桟３６に、配線用ダクト３７を上方から着脱自在に嵌め込んだものである。
【００３９】
横桟３６の取付け手段としては、横桟３６の左右端部に設けたブラケット片３６ａをねじ３８でフレーム５の縦長部材６に固定しているが、別体のブラケットを使用しても良いし、或いは、両端に設けた爪を、縦長部材６に形成した穴に落とし込み係合させるなどしても良い。
【００４０】
また、配線用ダクト３７には、横桟３６に嵌まる足片３７ａを切り起こしによって形成しており、このようにすると、構造が簡単になる利点がある（切り起こしによって穴３９が開くが、この穴３９は横桟３６で塞がれるので、コード類Ｃが落ちることはない）。
【００４１】
配線用ダクト３７の長さは自由に設定することができ、また、複数本の配線用ダクト３７を１本の横桟３６に直列状に取付けても良い。更に、配線用ダクト３７は吊り下げ式など、他の取付け構造でも良い。
【００４２】
図６に示すように、ユニット１のフレーム４（５）の前後面を覆うための保護パネル４０，化粧パネル４１の間の空間に配線用ダクト３７が配設されている。従って、本実施形態では、配線用ダクト３７の前後幅寸法はフレーム５における縦長部材６の前後幅寸法と同じ寸法になっている。
【００４３】
ユニット１のフレーム４（５）の前後面を覆うための保護パネル４０，化粧４１のうち前面に位置した保護パネル４０は上下高さ寸法が小さく、保護パネル４０の上方には、配線用ダクト３７に這わせたコード類Ｃを引き出しできる隙間４２が空いている。他方、ユニット１の背面箇所には、上下幅寸法の大きい通常の化粧パネル４１を取り付けている。この背面箇所にも保護パネル４０を設けて、ユニット１の表裏両側からコード類Ｃを引き出せるようにすることもできる。
【００４４】
保護パネル４０を取り外すことによって配線作業を行い、その後、コード類Ｃは保護パネル４０の上方の隙間４２から引き出せば良く、配線作業の頻度が小さい場合には本形態は好適である。
【００４５】
図６では配線用ダクト３７の前後両面にパネル４０，４１がほぼ当接しているので、コード類Ｃを配線用ダクト３７の上下に通せるようにするため、配線用ダクト３７の長さをフレーム４（５）における左右縦長部材６の間隔寸法よりも小さい寸法にしておくのが好ましい。
【００４６】
保護パネル４０の上方に配置したパネル４３の前面には受け樋４４を設けている。このように、露出式の受け樋４４をパネル４３に設けると、配線作業がより簡単になる利点がある。なお、受け樋４４をパネル４３に着脱式として、必要に応じて取付けできるようにしても良い。また、図６に一点鎖線で示すように、パネル４３を表裏ひっくり返した状態で取付けできるようにしても良く、こうすると、受け樋４４を間仕切内部の配線ダクトに兼用できる（この場合は、パネル４３の表裏両面を体裁良く仕上げておく必要がある）。
【００４７】
図１に示すように、パネル４５にコンセント４６を取付けてもよい。
【００４８】
図６に示すように、各パネル４０，４１，４３，４５の背面には、縦長部材６の係合穴１３に嵌まる爪４７を取付けている。また、図６に部分的に示すように、各縦長部材６には、コード類Ｃを左右方向に通すための切欠き部４８を適宜個数形成している。
【００４９】
図８は第２実施形態を示している。この図８のうち (A)に示すのは、コード受け樋１５を前後２つの長手部材１５ａに分割して重ね合わせた例である。この場合、一点鎖線で示すように、両方の部材の付け根箇所に、上下に長く延びる仕切り板４９を設けてもよい。
【００５０】
また、図８のうち (B)で示すのは、左右縦長部材６にメイン受け樋（底板）１５ｂを差し渡し固定し、この前後両側に、補助受け樋１５ｃを選択的に固定できるようにしたものである。すなわち、コード受け樋１５をメイン受け樋１５ｂと補助受け樋１５ｃとで構成したものである。
【００５１】
この図８(B) では両側に補助受け樋１５ｃを取付けているが、間仕切の片面にしかコード類を引き出す必要がない場合は、一点鎖線で示すように、他方の面には通常の化粧パネルＰを取付けても良い。この図8(B)の構成にすると、間仕切の使用形態に応じてコード類Ｃの引き出し方法を選択できる利点がある。なお、メイン受け樋１５ｂは単なる板状であっても良い。
【００５２】
前記メイン受け樋１５ｂを自在に取り外しできるようにしても良く、このようにすると、コード類Ｃを上下方向に通すことができる利点がある（この場合、メイン受け樋１５ｂを、係止爪やフックを利用した係止構造によって縦長部材６に取付けると、着脱の作業が簡単になる）。
【００５３】
メイン受け樋１５ｂの前後幅寸法をフレーム５の縦長部材６の幅寸法よりも小さい寸法に設定しておくと、化粧パネルＰが厚板状であっても、当該化粧パネルＰとメイン受け樋１５ｂとの間にコード挿通用の隙間を形成できる利点がある。
【００５４】
図９に示す第３実施形態では、コード受け樋１５の内部を第１空間５０と第２空間５１とに区分し、第１空間に電源コード等の強電線Ｃ１を這わせ、第２空間５１には電話線、コンピュータのデータ通信配線、コンピュータと入力出力装置等の端末機器との間を接続するデータ通信ケーブル等の弱電線Ｃ２を這わせるようにしたものである。このようにすると、強電線Ｃ１と弱電線Ｃ２とを分離できるため内部がスッキリすると共に、弱電線Ｃ２が強電線Ｃ１の電磁波によって影響を受けることを防止できる利点がある。
【００５５】
図１０に示すのは配線用ダクト３７の内部を強電線用第１空間５０と弱電線用第２空間５１とに分離したもので、図９の場合と同じ利点がある。
【００５６】
図１１では、ブラケット５３で棚板５４を支持した状態を示しており、この場合、棚板５４と化粧パネル５５との間に、コード類Ｃを挿通できる隙間５６を空けている。このように構成すると、棚板５４に電気機器を設けた場合や、棚板５４の上方に配線用ダクト３７を設けた場合に便利である。前記の実施形態に加えて、図６に一点鎖線で示すように、机天板２と化粧パネルとの間にコード挿通用の隙間を空けても良い。
【００５７】
図１２〜図１５はコード受け樋１５及びカバー体２０の構造の第４実施形態を示し、合成樹脂材もしくはアルミ金属の押出成形等にて形成された断面上向き開放樋状で長手のコード受け樋１５は、前記間仕切のユニット１おける上側（積み上げ式）のフレーム５の上横長部材７の下方に二段等の多段に吊懸配置されるものであって、前記第１実施形態（図５参照）とほぼ同様にする。
【００５８】
即ち、下端（ボルト頭）を最下段のコード受け樋１５の底板１５ｅに落下不能に支持させ上向きに貫通突出させた吊りボルト６１の上端を、断面四角筒状の上横長部材７に外周から係合するフック６０の下片６０ａに螺着する。該吊りボルト６１に被嵌したスペーサ筒６２の上端にて上側のコード受け樋１５の底部を落下不能に支持し、且つ上下のコード受け樋１５，１５の上下間隔を保持させるものであり、このフック６０と吊りボルト６１とを予めコード受け樋１５の長手方向の少なくとも２カ所に配置することにより、ユニット１のフレーム５の前または後方向から装着できるようになる。なお、そのためには、各コード受け樋１５の長さをフレーム４（５）における左右の縦長部材６，６の配置間隔より短く形成しておくことが望ましい。
【００５９】
本実施形態におけるコード受け樋１５の前後壁面１５ｄの外側には、図１４等に示すように、カバー体２０の基部を起伏回動可能且つコード受け樋１５の外面に対して交叉する方向から着脱自在な装着部としての雄型係合部６３が上下適宜間隔にて複数箇所（実施例では上下二段）に形成されている。各雄型係合部６３は、断面円弧状（略四分の一円）の摺動面６３ａが、上方開放状に形成されており、その外側には回動中心となる丸軸部６３ｂが上向き突出するように設けられている。他方、合成樹脂材もしくはアルミ金属の押出成形等にて形成されたカバー体２０の下端縁（基部）には、前記丸軸部６４と摺動面６３とに回動可能に摺接する断面略半円状の雌型係合部６４が形成されている。
【００６０】
さらに、各カバー体２０には前記雌型係合部６４の外側摺動面から上向きに突出する所定高さの係止片６５が一体的に形成され、コード受け樋１５の前後壁面１５ｄの外面には前記摺動面６３ａの下端から所定の寸法Ｈ１の位置に、規制片６６が斜め上外向きに突出形成されている。
【００６１】
これらの雌型係合部６４及び係止片６５はカバー体２０の全長にわたって一体的に形成され、雄型係合部６３及び規制片６６は、コード受け樋１５の長手の全長にわたって一体的に形成される。
【００６２】
上記の構成により、図１４における右上側の二点鎖線で示すように、係止片６５の上向き突出方向が壁面１５ａに対して略４５度（カバー体２０の大部分が略水平）の状態にてコード受け樋１５の壁面１５ｄの外側から雌型係合部６４の下端開放部を雄型係合部６３における丸軸部６３ｂに上方から装着でき、逆に外すことができる（図１４における右下側の二点鎖線の状態を参照）。
【００６３】
また、各コード受け樋１５の壁面１５ｄには前記雄型係合部６３が上下に複数段に設けられているから、高い位置の雄型係合部６３にカバー体２０の基部の雌型係合部６４を嵌合した場合には、当該カバー体２０の上方の空間６８の上下寸法を小さくできる一方、低い位置の雄型係合部６３にカバー体２０の基部の雌型係合部６４を嵌合した場合には、前記横長の連続状の空間６８の上下寸法を大きくできるのであり、上下の位置の装着部としての雄型係合部６３に対するカバー体２０基部の取付け位置代えにより、コード受け樋１５から間仕切前面方向に引き出すコード類Ｃの太さに応じた大きさの空間６８を至極簡単に形成することができる。
【００６４】
そして、壁面１５ａにおける規制片６６の下面に前記係止片６５の上端が摺接する状態（係止片６５の上向き突出方向が壁面１５ａに対して略４５度から略垂直方向まで）では、雄型係合部６３に対して雌型係合部６４は外れ不能となり、且つ規制片６６の下面に前記係止片６５の上端が摺接する抵抗力にて、カバー体２０は任意の外向き回動角度で回動停止させることができ、特に、カバー体２０の大部分が略垂直状（パネル４３の外面とほぼ平行状）に起立した姿勢を保持させることができるのである（図１２参照）。
【００６５】
図１２、図１３、図１５〜図２０はカバー体２０の他の実施形態を示し、該カバー体２０は、間仕切のユニット１の間口方向に長い偏平板状の本体部２０ａと、該本体部２０ａの少なくとも長手方向の一側端に対して着脱可能な端カバー２０ｂとにより構成されている。本体部２０ａの上端には、後ろ下向きコ字型の保護縁部７０が本体部２０ａの全長にわたって形成され、本体部２０ａの下端（基部）には雌型係合部６４が形成されており、各端カバー２０ｂには、その基板７１から横向きに突出して本体部２０ａの端部裏面を支持する支持板部７２と、基板７１から支持板部７２の上方に横向きに突出して本体部２０ａの上縁側に位置する上保護板部７３と、該上保護板部７３から下向きに突設して前記本体部２０ａの保護縁部７０を脱落不能に抱える係止フック７４と、前記支持板部７２の下部寄りに設けて本体部２０ａの雌型係合部６４を表裏から抱持する抱持部７５とにより構成されている。
【００６６】
そして、本体部２０ａの左右両側端に装着した端カバー２０ｂ，２０ｂ間の長さ（カバー体２０の全長）がユニット１の左右両側の縦長部材６，６までの間隔ひいてはパネル６７の間口方向寸法Ｌ１とほぼ同じ長さになるように設定しておけば、コード類Ｃの配線作業等のためにカバー体２０を開いたとき、左右の縦長部材６，６の箇所まで大きく露出させることができ、隣接ユニット１への配線作業が容易になる。そして、端カバー２０ｂの高さ寸法を本体部２０ａの高さより高く形成しておけば、カバー体２０を閉めたとき、当該カバー体２０上方の空間６８の上下寸法を大きくしながら左右の縦長部材６，６の箇所を確実に覆い隠すことができて美観が向上する。さらに、前記端カバー２０ｂを外すことにより、コード類Ｃを縦長部材６の近接箇所からユニット１の前方に引き出すのに便利となる。
【００６７】
図２１は、間仕切のユニット１の上下中間の適宜高さ位置に複数のコード受け樋１５を多段に配設する実施形態の断面図であり、ユニット１におけるメインフレーム４の上もしくは中間位置の横長部材７にフック６０を係止し、このフック６０に垂下した吊りボルト６１とスペーサ筒６２とを介して上下二段にコード受け樋１５，１５を配置するものであり、各コード受け樋１５に起伏回動可能、且つ着脱自在に装着された各カバー体２０の上方に、パネル６７もしくは上段のコード受け樋１５との間にコード類Ｃの通過を許す横長の空間６８が形成される。その他の構成は、図１１に示す実施形態とほぼ同一であるので、同一の部品、構成については同じ符号を付して、詳細な説明は省略する。
【００６８】
上記各実施形態の場合、カバー体２０は間仕切の表裏両面のうち片側だけに設けても良いし、両側に設けても良く、間仕切の使用形態に応じて選択したらよい。また、コード受け樋１５やカバー体２０の左右長さ（間仕切の間口方向に沿う長手さ）や上下高さ寸法も必要に応じて設定したら良い。また、コード受け樋１５は、間仕切の間口方向の全長にわたって上下多段に設けても良いし、間仕切の間口方向の一部もしくは間仕切の高さ方向の一部だけに設けても良い。
【００６９】
図２２は、前記フック６０を位置決め固定するための構造であって、下片６０ａに吊りボルト６１を螺着させたフック６０を、フレーム４（５）の横長部材７の適宜箇所に吊り下げする。そして、前記下片６０ａに下方から螺合させた押しボルト７６を、前記横長部材７の下面に押しつけすることにより、フック６０は位置は横ずれしないし、前記横長部材７から外れないのである。
【００７０】
本発明の実施形態は上記の形態に尽きるものではなく、更に種々の形態に具体化できる。
【図面の簡単な説明】
【図１】  間仕切の斜視図である。
【図２】  間仕切のユニットを構成するフレームの斜視図である。
【図３】  図１の III-III視断面図である。
【図４】  （Ａ）はコンセント装着具の斜視図、（Ｂ）はエンドキャップとの斜視図である。
【図５】  コード受け樋の取付け構造を示す側断面図である。
【図６】  図１のVI−VI視断面図である。
【図７】  配線用ダクトの支持構造を示す分離斜視図である。
【図８】  （Ａ）はコード受け樋の第２実施形態を示す断面図、（Ｂ）は変形例を示す断面図である。
【図９】  第３実施形態を示す断面図である。
【図１０】  第３実施形態の変形例を示す断面図である。
【図１１】  関連した形態を示す図である。
【図１２】  コード受け樋の第４実施形態の断面図である。
【図１３】  図１２のXIII−XIII線矢視で示すカバー体の正面図である。
【図１４】  コード受け樋に対するカバー体の着脱作用を示す図である。
【図１５】  カバー体の端部の拡大正面図である。
【図１６】  カバー体の端部の拡大裏面図である。
【図１７】  端カバーの裏面図である。
【図１８】  図１５のXVIII −XVIII 線矢視断面図である。
【図１９】  図１７のXIX −XIX 線矢視断面図である。
【図２０】  図１７のXX−XX線矢視断面図である。
【図２１】  コード受け樋の第４実施形態の変形例の断面図である。
【図２２】  フックの位置決めの構成を示す図である。
【符号の説明】
１間仕切のユニット
4,5   フレーム
６  縦長部材
７  横長部材
１５  コード受け樋
１５ｄ  壁面
２０  カバー体
２３，６８  空間
２４  コンセント
２５，２６  装着具
３６  横桟
３７  配線用ダクト
４０  保護パネル
２１，６３  雄型係合部
２２，６４  雌型係合部
６０  フック
６１  ボルト
６２  スペーサ筒
６５    係止片
６６    規制片
６８    空間
Ｃ    コード類
【図１】
0004008608.tif 000002
【図２】
0004008608.tif 000003
【図３】
0004008608.tif 000004
【図４】
0004008608.tif 000005
【図５】
0004008608.tif 000006
【図６】
0004008608.tif 000007
【図７】
0004008608.tif 000008
【図８】
0004008608.tif 000009
【図９】
0004008608.tif 000010
【図１０】
0004008608.tif 000011
【図１１】
0004008608.tif 000012
【図１２】
0004008608.tif 000013
【図１３】
0004008608.tif 000014
【図１４】
0004008608.tif 000015
【図１５】
0004008608.tif 000016
【図１６】
0004008608.tif 000017
【図１７】
0004008608.tif 000018
【図１８】
0004008608.tif 000019
【図１９】
0004008608.tif 000020
【図２０】
0004008608.tif 000021
【図２１】
0004008608.tif 000022
【図２２】
0004008608.tif 000023